【手続補正書】
【提出日】令和2年2月7日(2020.2.7)
【手続補正１】
【補正対象書類名】明細書
【補正対象項目名】発明の名称
【補正方法】変更
【補正の内容】
【発明の名称】無線ノードネットワーク内のノードのブロードキャスト設定を自動調整するための無線ノードベースの方法、その方法を実行する命令を含む非一時的コンピュータ可読媒体、および無線ノードネットワークにおける自動調整ブロードキャストノード装置
【手続補正２】
【補正対象書類名】特許請求の範囲
【補正対象項目名】全文
【補正方法】変更
【補正の内容】
【特許請求の範囲】
【請求項１】
無線ノードネットワーク内のノードのブロードキャスト設定を自動調整するための無線ノードベースの方法であって、
前記ノードによって、ブロードキャスト変更イベントを検出するステップと、
検出されたブロードキャスト変更イベントに基づいて、前記ノードの前記ブロードキャスト設定の更新値を決定するために、前記ノード内に格納された前記ノードのブロードキャストプロファイルにアクセスするステップと、
前記ノードによって、前記ノードの前記ブロードキャスト設定を、現在の値から前記更新値へ自動調整するステップと
を含む、方法。
【請求項２】
前記ノードの前記ブロードキャスト設定は、前記ノードの前記ブロードキャストプロファイルの一部として識別されるＲＦ送信出力電力レベル設定を含む、請求項１に記載の方法。
【請求項３】
前記ノードの前記ブロードキャスト設定は、前記ノードの前記ブロードキャストプロファイルの一部として識別される周波数設定を含む、請求項１に記載の方法。
【請求項４】
前記ノードの前記ブロードキャスト設定は、前記ノードの前記ブロードキャストプロファイルの一部として識別されるタイミング設定を含む、請求項１に記載の方法。
【請求項５】
前記更新値を決定するために前記ブロードキャストプロファイルにアクセスするステップは、
前記ブロードキャスト変更イベントを検出したことに応答して、前記ブロードキャスト設定を調整するための第２のノードからの指示により促されることなしに、前記ノード上の記憶装置にアクセスするステップと、
検出された前記ブロードキャスト変更イベントに基づいて、前記ノードの前記ブロードキャスト設定の前記更新値を決定するステップと
を含む、請求項１に記載の方法。
【請求項６】
前記更新値は、前記ノードの前記ブロードキャストプロファイルの一部として保持される複数のブロードキャスト設定値のうちの１つを含む、請求項１に記載の方法。
【請求項７】
前記現在の値および前記更新値は、前記ノードの前記ブロードキャストプロファイルによって定義される範囲内にある、請求項１に記載の方法。
【請求項８】
前記更新値は、前記ブロードキャスト設定への変更を含み、前記変更は、前記ノードの前記ブロードキャストプロファイルによって定義される期間に関連する、請求項１に記載の方法。
【請求項９】
前記更新値は、前記ブロードキャスト設定に対する変更を含み、前記変更が、前記ブロードキャストプロファイルによって定義された前記ノードに対する変更されたＲＦ送信出力電力レベル設定、前記ブロードキャストプロファイルによって定義された前記ノードに対する変更された周波数設定、および前記ブロードキャストプロファイルによって定義された前記ノードに対するタイミング設定からなる群からの１つまたは複数を含む、請求項１に記載の方法。
【請求項１０】
前記更新値は、前記ノードに近接する構造に関連する既定の値を含み、前記既定の値は、前記ノードの記憶装置に保持されたコンテキストデータの少なくとも一部である、請求項１に記載の方法。
【請求項１１】
前記更新値は、構造に関連した既定の値を含み、前記構造は、前記無線ノードネットワーク内のマスタノードと関連付けられている、請求項１に記載の方法。
【請求項１２】
前記更新値は、前記構造の内部に関連したデフォルトのブロードキャスト値をさらに含み、前記構造は、前記マスタノードと関連付けられた輸送コンテナである、請求項１１に記載の方法。
【請求項１３】
前記ブロードキャスト変更イベントは、時間ベースのイベントを含む、請求項１に記載の方法。
【請求項１４】
前記時間イベントは、前記ブロードキャストプロファイルに従って、前記ノードによって前記ブロードキャスト設定の前記現在の値が適用されている第１の期間の終了を含む、請求項１３に記載の方法。
【請求項１５】
前記時間イベントは、前記ブロードキャストプロファイルによって定義される複数の時間プロファイルセグメント内の第１の時間プロファイルセグメントの終了を含み、前記第１の時間プロファイルセグメントの間に、前記ブロードキャスト設定の前記現在の値が、前記ブロードキャストプロファイルに従って、前記ノードによって適用される、請求項１３に記載の方法。
【請求項１６】
前記ブロードキャスト変更イベントは、前記ノードが前記無線ノードネットワーク内の別のノードと関連付けられるときに検出された関連付けベースのイベントを含む、請求項１に記載の方法。
【請求項１７】
前記ブロードキャスト変更イベントは、前記ノードがモバイルであり、その現在位置が構造に近接していると自己決定した場合に検出される位置ベースのイベントを含む、請求項１に記載の方法。
【請求項１８】
前記ブロードキャスト変更イベントは、前記ノードのセンサが環境条件の変化を検出したときに検出されるセンサベースのイベントを含む、請求項１に記載の方法。
【請求項１９】
前記ブロードキャスト変更イベントは、時間のベースイベント、関連付けベースのイベント、位置ベースのイベント、およびセンサベースのイベントからなる群からの少なくとも２つの組み合わせを含む、請求項１に記載の方法。
【請求項２０】
前記ブロードキャストプロファイルとして、前記ノードのための複数の通信プロファイルのうちの１つを決定するステップをさらに含む、請求項１に記載の方法。
【請求項２１】
前記ノードは、前記無線ノードネットワークにおいて、マスタノードと直接通信することができるが、サーバと直接通信することができないＩＤノードを含む、請求項１に記載の方法。
【請求項２２】
前記ノードは、自己位置特定することができ、第１の通信路を介してＩＤノードと直接通信でき、前記第１の通信路とは異なる第２の通信路を介してサーバと直接通信することができるマスタノードを含む、請求項１に記載の方法。
【請求項２３】
前記ノードは、第１の通信路を介してＩＤノードと直接通信し、前記第１の通信路とは異なる第２の通信路を介してサーバと直接通信する固定位置マスタノードを含む、請求項１に記載の方法。
【請求項２４】
前記ノードは、第１の通信路を介してＩＤノードと直接通信でき、前記第１の通信路とは異なる第２の通信路を介してサーバと直接通信することができるが、自己位置特定することはできないコンテナノードを含む、請求項１に記載の方法。
【請求項２５】
前記ノードによって、前記更新値を使用してメッセージをブロードキャストするステップをさらに含み、前記メッセージのヘッダは、前記更新値を反映する、請求項１に記載の方法。
【請求項２６】
ブロードキャストするステップは、前記ノードによって、前記無線ノードネットワーク内の管理デバイスによる受信のための前記メッセージをブロードキャストするステップを含み、前記メッセージのヘッダは、前記ノードの前記ブロードキャスト設定の前記更新値について前記管理デバイスを更新する、請求項２５に記載の方法。
【請求項２７】
ノードのプロセッサ上で実行されると、無線ノードネットワーク内の前記ノードのブロードキャスト設定を自動調整するための無線ノードベースの方法を実行する命令を含む非一時的コンピュータ可読媒体であって、前記方法は、
前記ノードによって、ブロードキャスト変更イベントを検出するステップと、
検出されたブロードキャスト変更イベントに基づいて、前記ノードの前記ブロードキャスト設定の更新値を決定するために、前記ノード内に格納された前記ノードのブロードキャストプロファイルにアクセスするステップと、
前記ノードによって、前記ノードの前記ブロードキャスト設定を、現在の値から前記更新値へ自動調整するステップと
を含む、非一時的コンピュータ可読媒体。
【請求項２８】
前記ノードの前記ブロードキャスト設定は、前記ノードの前記ブロードキャストプロファイルの一部として識別されるＲＦ送信出力電力レベル設定を含む、請求項２７に記載の非一時的コンピュータ可読媒体。
【請求項２９】
前記ノードの前記ブロードキャスト設定は、前記ノードの前記ブロードキャストプロファイルの一部として識別される周波数設定を含む、請求項２７に記載の非一時的コンピュータ可読媒体。
【請求項３０】
前記ノードの前記ブロードキャスト設定は、前記ノードの前記ブロードキャストプロファイルの一部として識別されるタイミング設定を含む、請求項２７に記載の非一時的コンピュータ可読媒体。
【請求項３１】
前記更新値を決定するために前記ブロードキャストプロファイルにアクセスするステップは、
前記ブロードキャスト変更イベントを検出したことに応答して、前記ブロードキャスト設定を調整するための第２のノードからの指示により促されることなしに、前記ノード上の記憶装置にアクセスするステップと、
検出された前記ブロードキャスト変更イベントに基づいて、前記ノードの前記ブロードキャスト設定の前記更新値を決定するステップと
を含む、請求項２７に記載の非一時的コンピュータ可読媒体。
【請求項３２】
前記更新値は、前記ノードの前記ブロードキャストプロファイルの一部として保持される複数のブロードキャスト設定値のうちの１つを含む、請求項２７に記載の非一時的コンピュータ可読媒体。
【請求項３３】
前記現在の値および前記更新値は、前記ノードの前記ブロードキャストプロファイルの一部として保持される範囲内にある、請求項２７に記載の非一時的コンピュータ可読媒体。
【請求項３４】
前記更新値は、前記ノードの前記ブロードキャストプロファイルによって定義される期間に関連する前記ブロードキャスト設定への変更を含む、請求項２７に記載の非一時的コンピュータ可読媒体。
【請求項３５】
前記更新値は、前記ブロードキャスト設定に対する変更を含み、前記変更は、前記ブロードキャストプロファイルによって定義された前記ノードに対する変更されたＲＦ送信出力電力レベル設定、前記ブロードキャストプロファイルによって定義された前記ノードに対する変更された周波数設定、および前記ブロードキャストプロファイルによって定義された前記ノードに対するタイミング設定からなる群からの１つまたは複数を含む、請求項２７に記載の非一時的コンピュータ可読媒体。
【請求項３６】
前記更新値は、前記ノードに近接する構造に関連する既定の値を含み、前記既定の値は、前記ノードの記憶装置に保持されたコンテキストデータの少なくとも一部である、請求項２７に記載の非一時的コンピュータ可読媒体。
【請求項３７】
前記更新値は、構造に関連した既定の値を含み、前記構造は、前記無線ノードネットワーク内のマスタノードと関連付けられている、請求項２７に記載の非一時的コンピュータ可読媒体。
【請求項３８】
前記更新値は、前記構造の内部に関連したデフォルトのブロードキャスト値をさらに含み、前記構造は、前記マスタノードと関連付けられた輸送コンテナである、請求項３７に記載の非一時的コンピュータ可読媒体。
【請求項３９】
前記ブロードキャスト変更イベントは、時間ベースのイベントを含む、請求項２７に記載の非一時的コンピュータ可読媒体。
【請求項４０】
前記時間イベントは、前記ブロードキャストプロファイルに従って、前記ノードによって前記ブロードキャスト設定の前記現在の値が適用されている第１の期間の終了を含む、請求項３９に記載の非一時的コンピュータ可読媒体。
【請求項４１】
前記時間イベントは、前記ブロードキャストプロファイルによって定義される複数の時間プロファイルセグメント内の第１の時間プロファイルセグメントの終了を含み、前記第１の時間プロファイルセグメントの間に、前記ブロードキャスト設定の前記現在の値が、前記ブロードキャストプロファイルに従って、前記ノードによって適用される、請求項３９に記載の非一時的コンピュータ可読媒体。
【請求項４２】
前記ブロードキャスト変更イベントは、前記ノードが前記無線ノードネットワーク内の別のノードと関連付けられるときに検出された関連付けベースのイベントを含む、請求項２７に記載の非一時的コンピュータ可読媒体。
【請求項４３】
前記ブロードキャスト変更イベントは、前記ノードがモバイルであり、その現在位置が構造に近接していると自己決定した場合に検出される位置ベースのイベントを含む、請求項２７に記載の非一時的コンピュータ可読媒体。
【請求項４４】
前記ブロードキャスト変更イベントは、前記ノードのセンサが環境条件の変化を検出したときに検出されるセンサベースのイベントを含む、請求項２７に記載の非一時的コンピュータ可読媒体。
【請求項４５】
前記ブロードキャスト変更イベントは、時間のベースイベント、関連付けベースのイベント、位置ベースのイベント、およびセンサベースのイベントからなる群からの少なくとも２つの組み合わせを含む、請求項２７に記載の非一時的コンピュータ可読媒体。
【請求項４６】
前記ブロードキャストプロファイルとして、前記ノードのための複数の通信プロファイルのうちの１つを決定するステップをさらに含む、請求項２７に記載の非一時的コンピュータ可読媒体。
【請求項４７】
前記ノードは、前記無線ノードネットワークにおいて、マスタノードと直接通信することができるが、サーバと直接通信することができないＩＤノードを含む、請求項２７に記載の非一時的コンピュータ可読媒体。
【請求項４８】
前記ノードは、自己位置特定することができ、第１の通信路を介してＩＤノードと直接通信でき、前記第１の通信路とは異なる第２の通信路を介してサーバと直接通信することができるマスタノードを含む、請求項２７に記載の非一時的コンピュータ可読媒体。
【請求項４９】
前記ノードは、第１の通信路を介してＩＤノードと直接通信し、前記第１の通信路とは異なる第２の通信路を介してサーバと直接通信する固定位置マスタノードを含む、請求項２７に記載の非一時的コンピュータ可読媒体。
【請求項５０】
前記ノードは、第１の通信路を介してＩＤノードと直接通信でき、前記第１の通信路とは異なる第２の通信路を介してサーバと直接通信することができるが、自己位置特定することはできないコンテナノードを含む、請求項２７に記載の非一時的コンピュータ可読媒体。
【請求項５１】
前記ノードによって、前記更新値を使用してメッセージをブロードキャストするステップをさらに含み、前記メッセージのヘッダは前記更新値を反映する、請求項２７に記載の非一時的コンピュータ可読媒体。
【請求項５２】
ブロードキャストするステップは、前記ノードによって、前記無線ノードネットワーク内の管理デバイスによる受信のための前記メッセージをブロードキャストするステップを含み、前記メッセージのヘッダは、前記ノードの前記ブロードキャスト設定の前記更新値について前記管理デバイスを更新する、請求項５１に記載の非一時的コンピュータ可読媒体。
【請求項５３】
無線ノードネットワークにおける自動調整ブロードキャストノード装置であって、
ノード処理装置と、
前記ノード処理装置に結合された記憶装置であって、前記ノード処理装置による実行のための自動調整ブロードキャストコードおよびブロードキャストプロファイルを維持する記憶装置と、
前記ノード処理装置に結合され、前記ブロードキャストプロファイルに従って、前記無線ノードネットワーク内の第２のデバイスと通信するように動作する通信インターフェースと、
前記ノード処理装置に結合された検出器であって、ブロードキャスト変更イベントに関連するデータを生成するように動作する検出器と
を備え、
前記ノード処理装置は、前記記憶装置上に保持された前記自動調整ブロードキャストコードを実行するとき、
前記検出器から前記ブロードキャスト変更イベントに関連する生成されたデータを受信し、
前記記憶装置内の前記ブロードキャストプロファイルにアクセスし、
前記ブロードキャストプロファイルに従って、かつ前記ブロードキャスト変更イベントに関連する前記生成されたデータに基づいて、前記通信インターフェースのブロードキャスト設定の更新値を決定し、
前記無線ノードネットワーク内の前記第２のデバイスからの前記通信インターフェースに関する調整指示を受信せずに、前記ブロードキャスト設定を現在の値から前記更新値に自動調整し、かつ
前記ブロードキャスト設定の前記更新値に従って、前記通信インターフェースを動作させる
ように動作する、自動調整ブロードキャストノード装置。
【請求項５４】
前記ブロードキャスト設定は、前記ブロードキャストプロファイルの一部として識別されるＲＦ送信出力電力レベル設定を含む、請求項５３に記載の装置。
【請求項５５】
前記ブロードキャスト設定は、前記ブロードキャストプロファイルの一部として識別される周波数設定を含む、請求項５３に記載の装置。
【請求項５６】
前記ブロードキャスト設定は、前記ブロードキャストプロファイルの一部として識別されるタイミング設定を含む、請求項５３に記載の装置。
【請求項５７】
前記更新値は、前記記憶装置上の前記ブロードキャストプロファイルの一部として保持される複数のブロードキャスト設定値のうちの１つを含む、請求項５３に記載の装置。
【請求項５８】
前記現在の値および前記更新値は、前記記憶装置上の前記ブロードキャストプロファイルによって定義される範囲内にある、請求項５３に記載の装置。
【請求項５９】
前記更新値は、前記ブロードキャスト設定への変更を含み、前記変更は、前記記憶装置上の前記ブロードキャストプロファイルによって定義される期間に関連する、請求項５３に記載の装置。
【請求項６０】
前記更新値は、前記ブロードキャスト設定に対する変更を含み、前記変更は、前記ブロードキャストプロファイルによって定義された前記通信インターフェースに対する変更されたＲＦ送信出力電力レベル設定、前記ブロードキャストプロファイルによって定義された前記通信インターフェースに対する変更された周波数設定、および前記ブロードキャストプロファイルによって定義された前記通信インターフェースに対するタイミング設定からなる群からの１つまたは複数を含む、請求項５３に記載の装置。
【請求項６１】
前記記憶装置は、前記ノード装置の環境に関連するコンテキストデータをさらに保持し、
前記更新値は、前記ノード装置に近接する構造に関連する既定の値を含み、前記既定の値は、前記記憶装置に保持された前記コンテキストデータの少なくとも一部である、請求項５３に記載の装置。
【請求項６２】
前記更新値は、構造に関連した既定の値を含み、前記構造は、前記無線ノードネットワーク内の前記第２のデバイスとしてマスタノードと関連付けられている、請求項５３に記載の装置。
【請求項６３】
前記更新値は、前記構造の内部に関連したデフォルトのブロードキャスト値をさらに含み、前記構造は、前記マスタノードと関連付けられた輸送コンテナである、請求項６２に記載の装置。
【請求項６４】
前記検出器は、前記ブロードキャスト変更イベントに関連する前記データを生成するように動作するタイマ回路を備え、
前記ブロードキャスト変更イベントは、時間ベースのイベントをさらに含む、請求項５３に記載の装置。
【請求項６５】
前記時間ベースのイベントは、第１の期間の終了を含み、
前記第１の期間の終了前に、前記ノード処理装置は、前記ブロードキャスト設定の前記現在の値に従って、前記通信インターフェースを動作させるように動作する、請求項６４に記載の装置。
【請求項６６】
前記時間ベースのイベントは、前記ブロードキャストプロファイルによって定義される複数の時間プロファイルセグメント内の第１の時間プロファイルセグメントの終了を含み、
前記第１の時間プロファイルセグメントの間に、前記ノード処理装置は、前記ブロードキャスト設定の前記現在の値に従って、前記通信インターフェースを動作させるように動作する、請求項６４に記載の装置。
【請求項６７】
前記検出器は、前記ノード処理装置に結合され、前記ブロードキャスト変更イベントに関連する前記生成されたデータとして前記ノード装置の現在位置を決定するように動作する位置特定回路を備え、
前記ブロードキャスト変更イベントは、前記ノード処理装置が、前記記憶装置上に保持されたコンテキストデータおよび前記ノード装置の前記現在位置に基づいて、前記ノード装置が構造に近接していると判定したときに検出される位置ベースのイベントをさらに含む、請求項５３に記載の装置。
【請求項６８】
前記検出器は、前記ノード処理装置に結合され、前記ブロードキャスト変更イベントに関連する前記生成されたデータとして前記ノード装置の近くの環境条件を検知するように動作するセンサを備え、
前記ブロードキャスト変更イベントは、前記センサが前記環境条件の閾値変化を検出したときに検出されるセンサベースのイベントをさらに含む、請求項５３に記載の装置。
【請求項６９】
前記ブロードキャスト変更イベントは、時間のベースイベント、位置ベースのイベント、およびセンサベースのイベントからなる群からの少なくとも２つの組み合わせを含む、請求項５３に記載の装置。
【請求項７０】
前記記憶装置は、前記ノード装置のための複数の通信プロファイルを含み、
前記ノード処理装置は、前記ブロードキャストプロファイルとして、前記複数の通信プロファイルのうちの１つを決定するようにさらに動作する、請求項５３に記載の装置。
【請求項７１】
前記ノード装置は、前記無線ノードネットワークにおいて、前記通信インターフェースを介して前記第２のデバイスとしてマスタノードと直接通信することができるが、サーバと直接通信することができないＩＤノードである、請求項５３に記載の装置。
【請求項７２】
前記ノード処理装置に結合され、ネットワーク通信路を介して前記無線ノードネットワーク内のサーバと直接通信するように動作するサーバ通信インターフェースをさらに備え、
前記ノード装置は、マスタノードとして前記無線ノードネットワーク内に配備され、前記検出器は、前記ノード処理装置に結合され、かつ前記ブロードキャスト変更イベントに関連する前記生成されたデータとして前記マスタノードの現在位置を決定するように動作する位置特定回路を備え、
前記第２のデバイスと通信するように動作する前記通信インターフェースは、前記第２のデバイスとしてのＩＤノードとの短距離通信路を介した通信をさらに可能にし、前記短距離通信路が、前記サーバ通信インターフェースによって使用される前記ネットワーク通信路とは異なる、請求項５３に記載の装置。
【請求項７３】
前記ノード装置は、前記無線ノードネットワークの中間レベルの固定位置マスタノードであり、前記ノード処理装置に結合されかつ前記無線ノードネットワーク内のサーバとネットワーク通信路を介して直接通信するように動作するサーバ通信インターフェースをさらに備え、
前記第２のデバイスと通信するように動作する前記通信インターフェースは、前記第２のデバイスとしてのＩＤノードとの短距離通信路を介した通信をさらに可能にし、前記短距離通信路は、前記サーバ通信インターフェースによって使用される前記ネットワーク通信路とは異なる、請求項５３に記載の装置。
【請求項７４】
前記ノード装置は、品物を一時的に保持するために少なくとも使用されるコンテナに取り付けられ、
前記ノード装置は、前記ノード処理装置に結合され、かつネットワーク通信路を介して前記無線ノードネットワーク内のサーバと直接通信するように動作するサーバ通信インターフェースをさらに備え、
前記第２のデバイスと通信するように動作する前記通信インターフェースは、前記第２のデバイスとしてのＩＤノードとの短距離通信路を介した通信を可能にし、前記短距離通信路は、前記ネットワーク通信路とは異なる、請求項５３に記載の装置。
【請求項７５】
前記ノード処理装置は、前記通信インターフェースに前記更新値に従ってメッセージをブロードキャストさせるようにさらに動作することによって、前記ブロードキャスト設定の前記更新値に従って、前記通信インターフェースを動作させるように動作し、前記メッセージのヘッダは前記更新値を反映する、請求項５３に記載の装置。
【請求項７６】
前記ノード処理装置は、前記通信インターフェースに、前記第２のデバイスとしての管理デバイスによる受信のために前記メッセージをブロードキャストさせるようにさらに動作することによって、前記通信インターフェースに前記メッセージをブロードキャストさせるように動作し、前記メッセージのヘッダは、前記ノードの前記ブロードキャスト設定の前記更新値について前記管理デバイスを更新する、請求項７５に記載の装置。